(57)【要約】【課題】シートが無駄に消費されることを抑制することが可能な画像形成装置、及び画像形成システムを提供する。【解決手段】画像形成装置１００は、装着部５１と、画像形成部６と、制御部１１と、判定部１２と、入力部２と、決定部１３とを備える。装着部５１は、第１消耗品を収容する第１交換部品、及び第２消耗品を収容する第２交換部品を装着可能である。画像形成部６は、装着消耗品を使用して、シートＳに画像を形成する。制御部１１は、画像形成部６を制御する。判定部１２は、装着交換部品ＣＡが第１交換部品、及び第２交換部品のいずれであるかを判定する。入力部２は、シートＳに画像を形成する画像形成ジョブを示す情報を受け付ける。決定部１３は、装着交換部品ＣＡが前記第２交換部品のとき、ジョブ画像のうちからサンプル画像を決定する。【選択図】図１
2019084773.tif 000002
【特許請求の範囲】
【請求項１】
第１消耗品を収容する第１交換部品、及び第２消耗品を収容する第２交換部品を装着可能な装着部と、
装着消耗品を使用して、シートに画像を形成する画像形成部と、
前記画像形成部を制御する制御部と、
装着交換部品が前記第１交換部品、及び前記第２交換部品のいずれであるかを判定する判定部と、
前記シートに画像を形成する画像形成ジョブを示す情報を受け付ける入力部と、
前記装着交換部品が前記第２交換部品のとき、前記画像形成ジョブで前記シートに形成されるジョブ画像のうちから、サンプル画像を決定する決定部と
を備え、
前記装着交換部品は、前記第１交換部品、及び前記第２交換部品のうち、前記装着部に装着されている交換部品を示し、
前記装着消耗品は、前記装着交換部品に収容される消耗品を示す、
画像形成装置。
【請求項２】
前記ジョブ画像が単数の場合、前記決定部は、前記単数のジョブ画像を前記サンプル画像に決定し、
前記ジョブ画像が複数の場合、前記決定部は、前記複数のジョブ画像のうち、前記第２消耗品の使用量が最も多いジョブ画像を前記サンプル画像に決定する、請求項１に記載の画像形成装置。
【請求項３】
前記入力部は、前記シートに前記サンプル画像を形成するか否かを示す情報をさらに受け付け、
前記シートに前記サンプル画像を形成することを示す情報を前記入力部が受け付けると、前記画像形成部が前記シートに前記サンプル画像を形成するように、前記制御部が前記画像形成部を制御し、
前記シートに前記サンプル画像を形成しないことを示す情報を前記入力部が受け付けると、前記画像形成部が前記シートに前記ジョブ画像を形成するように、前記制御部が前記画像形成部を制御する、請求項１又は請求項２に記載の画像形成装置。
【請求項４】
前記入力部は、前記シートに形成された前記サンプル画像の画質を許容するか否かを示す情報をさらに受け付け、
前記サンプル画像の画質を許容することを示す情報を前記入力部が受け付けると、前記画像形成部が前記シートに前記ジョブ画像を形成するように、前記制御部が前記画像形成部を制御する、請求項３に記載の画像形成装置。
【請求項５】
調整画面を表示可能な表示部をさらに備え、
前記サンプル画像の画質を許容しないことを示す情報を前記入力部が受け付けると、前記表示部が前記調整画面を表示し、
前記調整画面は、前記シートに形成される画像を調整するための画面を示す、請求項３又は請求項４に記載の画像形成装置。
【請求項６】
前記シートに前記サンプル画像を形成することを示す情報を前記入力部が受け付けた際に、待機中の前記画像形成ジョブがある場合、前記待機中の画像形成ジョブよりも、前記シートに前記サンプル画像を形成する画像形成ジョブを優先して実行するように、前記制御部が前記画像形成ジョブを実行する順番を設定する、請求項３から請求項５のいずれか１項に記載の画像形成装置。
【請求項７】
請求項１、又は請求項２に記載の画像形成装置と、
前記画像形成装置と通信可能な外部装置と
を備え、
前記画像形成部は、前記装着消耗品を使用した画像が形成される転写体を有し、
前記画像形成装置は、前記転写体に形成された画像を撮像する撮像部をさらに備え、
前記外部装置は、前記撮像部の撮像した画像を表示する外部表示部を備え、
前記画像形成部が前記転写体に前記サンプル画像を形成するように、前記制御部が前記画像形成部を制御する、画像形成システム。
【発明の詳細な説明】
【技術分野】
【０００１】
本発明は、画像形成装置、及び画像形成システムに関する。
【背景技術】
【０００２】
特許文献１に記載のインクカートリッジ監視システムにおいて、プリンターに装填されるインクカートリッジには、カートリッジ情報が記録されたＩＣチップが内蔵される。プリンターには、ＩＣチップとのインターフェイスであるコネクター、ＥＥＰＲＯＭ及び主制御部が内蔵されている。ホストコンピューターは、プリンターに対してステータス情報を要求し、応答されたインク交換フラグがセットされている場合には、プリンターに対してカートリッジ情報を要求する。そして、応答されたカートリッジ情報が専用品であることを示していなければ、ホストコンピューターは、ワーニングメッセージを送信する。
【先行技術文献】
【特許文献】
【０００３】
【特許文献１】特開２００１−１０５６２５号公報
【発明の概要】
【発明が解決しようとする課題】
【０００４】
しかし、ホストコンピューターは、ワーニングメッセージを送信し、プリンターに非専用品のインクカートリッジが装着されていることを知らせるだけである。従って、ユーザーは、シートに画像を印刷する印刷ジョブを実行する場合、ワーニングメッセージを確認しても、印刷ジョブを実行しなければ、非専用品のトナーを使用した画像の画質を確認できなかった。その結果、複数の画像を印刷する印刷ジョブをユーザーが実行した場合、画像の画質をユーザーが気に入らなければ、ユーザーは色を調整する作業を行った後に、複数の画像を印刷し直さなければならず、シートを無駄に消費するおそれがあった。
【０００５】
本発明は、シートが無駄に消費されることを抑制することが可能な画像形成装置、及び画像形成システムを提供することを目的としている。
【課題を解決するための手段】
【０００６】
本発明の一局面によれば、画像形成装置は、装着部と、画像形成部と、制御部と、判定部と、入力部と、決定部とを備える。装着部は、第１消耗品を収容する第１交換部品、及び第２消耗品を収容する第２交換部品を装着可能である。画像形成部は、装着消耗品を使用して、シートに画像を形成する。制御部は、前記画像形成部を制御する。判定部は、装着交換部品が前記第１交換部品、及び前記第２交換部品のいずれであるかを判定する。入力部は、前記シートに画像を形成する画像形成ジョブを示す情報を受け付ける。決定部は、前記装着交換部品が前記第２交換部品のとき、前記画像形成ジョブで前記シートに形成されるジョブ画像のうちから、サンプル画像を決定する。前記装着交換部品は、前記第１交換部品、及び前記第２交換部品のうち、前記装着部に装着されている交換部品を示す。前記装着消耗品は、前記装着交換部品に収容される消耗品を示す。
【０００７】
本発明の他の一局面によれば、画像形成システムは、上記画像形成装置と、外部装置とを備える。外部装置は、前記画像形成装置と通信可能である。前記画像形成部は、前記装着消耗品を使用した画像が形成される転写体を有する。前記画像形成装置は、前記転写体に形成された画像を撮像する撮像部をさらに備える。前記外部装置は、前記撮像部の撮像した画像を表示する外部表示部を備える。前記画像形成部が前記転写体に前記サンプル画像を形成するように、前記制御部が前記画像形成部を制御する。
【発明の効果】
【０００８】
本発明によれば、シートが無駄に消費されることを抑制することができる。
【図面の簡単な説明】
【０００９】
【図１】本発明の実施形態に係る画像形成装置の模式的断面図である。
【図２】調整画面を示す図である。
【図３】画像形成装置を示すブロック図である。
【図４】制御装置の動作を示す第１のフロー図である。
【図５】制御装置の動作を示す第２のフロー図である。
【図６】制御装置の動作を示す第３のフロー図である。
【図７】表示部を示す図である。
【図８】制御装置の動作を示す第２のフロー図の変形例である。
【図９】第１優先処理を示すフロー図である。
【図１０】制御装置の動作を示す第３のフロー図の変形例である。
【図１１】画像形成システムを示すブロック図である。
【図１２】制御装置の動作を示す第１のフロー図の変形例である。
【発明を実施するための形態】
【００１０】
本発明の実施形態について、図面を参照しながら説明する。なお、図中、同一又は相当部分については同一の参照符号を付して説明を繰り返さない。
【００１１】
［第１実施形態］
図１を参照して、本発明の第１実施形態に係る画像形成装置１００の構成を説明する。図１は、第１実施形態に係る画像形成装置１００の模式的断面図である。第１実施形態では、画像形成装置１００は、複合機である。
【００１２】
図１に示すように、画像形成装置１００は、読取部１、入力部２、収容部３、搬送部４、補給部５、画像形成部６、排出部７、及び筐体８を備える。収容部３、搬送部４、補給部５、画像形成部６、及び排出部７は、筐体８の内部に収容される。
【００１３】
読取部１は、読取シートに形成された画像を走査して、読取シートに形成された画像を読み取る。その結果、読取部１は、画像を示す画像データを取得する。
【００１４】
読取部１は、例えば、ＬＥＤ（Ｌｉｇｈｔ  Ｅｍｉｔｔｉｎｇ  Ｄｉｏｄｅ）のような発光部と、イメージセンサーのような撮像部とを含む。読取部１は、発光部、及び撮像部を用いて、読取シートに形成された画像を走査する。
【００１５】
入力部２は、画像形成装置１００に対するユーザーからの指示を受け付ける。入力部２は、ユーザーからの指示を受け付けると、ユーザーからの指示を示す信号を出力する。
【００１６】
入力部２は、シートＳに画像を形成する画像形成ジョブを示す情報を受け付ける。入力部２が情報を受け付けるとは、入力部２を介して画像形成装置１００に情報が入力されることを示す、以下、画像形成ジョブでシートＳに形成される画像を、「ジョブ画像」と記載する。ジョブ画像は、言い換えれば、入力部２を介して、シートＳに形成するように指示された画像を示す。また、ジョブ画像の個数は、画像形成ジョブ毎にカウントされる。例えば、読取部１の読み取った画像をシートＳに形成する画像形成ジョブの場合、読取部１の読み取った画像がジョブ画像になる。また、パーソナルコンピューターのような外部装置を介して画像形成ジョブが入力される場合、画像形成装置１００が外部装置から画像データを受信し、受信した画像データの表す画像をシートＳに形成する。この場合、外部装置から受信した画像データの表す画像がジョブ画像になる。
【００１７】
入力部２は、シートＳにサンプル画像を形成するか否かを示す情報をさらに受け付ける。また、入力部２は、シートＳに形成されたサンプル画像の画質を許容するか否かを示す情報をさらに受け付ける。サンプル画像は、第２消耗品を使用して形成される画像を示す。
【００１８】
入力部２は、タッチパネル２１及び複数の操作キー２２を含む。タッチパネル２１は、表示部２１ａ及びタッチセンサーを含む。
【００１９】
表示部２１ａは、各種画面を表示する。各種画面は、待ち受け画面を含む。待ち受け画面は、例えば、各種処理の実行を指示するためのメニューボタンを含む。表示部２１ａは、例えば、液晶表示部又は有機ＥＬ表示部（Ｏｒｇａｎｉｃ  Ｅｌｅｃｔｒｏ  Ｌｕｍｉｎｅｓｃｅｎｃｅ  Ｄｉｓｐｌａｙ）である。
【００２０】
タッチセンサーは、被検知体によるタッチを検知する。タッチセンサーは、被検知体によるタッチを検知した位置を示す検知信号を出力する。被検知体は、例えば、ユーザーの手指である。タッチセンサーは、例えば、抵抗膜方式のタッチセンサーである。複数の操作キー２２は、例えば、テンキー、スタートキー、及びキャンセルキーを含む。
【００２１】
表示部２１ａは、調整画面２１ｂを表示可能である。
【００２２】
収容部３は、複数のシートＳを収容し、収容された複数のシートＳを一枚ずつ送出する。
【００２３】
搬送部４は、収容部３から送出されたシートＳを排出部７まで搬送する。
【００２４】
補給部５は、画像形成部６へ消耗品を補給する。第１実施形態において、消耗品は、トナーである。
【００２５】
補給部５は、開閉検知スイッチ、装着部５１、部品検知スイッチ５２、及び部品情報取得部５３を備える。
【００２６】
開閉検知スイッチは、筐体８が備えるカバー部材の開閉を検知する。開閉検知スイッチは、カバー部材が閉じると、カバー部材が閉じたことを示す信号を出力する。カバー部材が閉じた状態において、カバー部材が筐体８の壁部の一部を構成する。一方、カバー部材が開いた状態になると、装着部５１が露出する。ユーザーは、カバー部材を開いた状態にすることにより、交換部品Ｃを交換することができる。
【００２７】
装着部５１には、交換部品Ｃを装着可能である。また、装着部５１には、交換部品Ｃを着脱可能である。交換部品Ｃは、消耗品を収容する。第１実施形態において、交換部品Ｃは、トナーカートリッジである。
【００２８】
交換部品Ｃは、第１交換部品と、第２交換部品とを含む。従って、装着部５１には、第１交換部品、及び第２交換部品を装着可能である。第１実施形態では、装着部５１には、第１交換部品、及び第２交換部品のうちのいずれかを装着可能である。
【００２９】
第１交換部品は、画像形成装置１００の専用品である。第２交換部品は、画像形成装置１００の専用品以外の交換部品（非専用品）である。第１交換部品は、第１消耗品を収容する。第２交換部品は、第２消耗品を収容する。第１消耗品の特性と、第２消耗品の特性とは、互いに異なる。
【００３０】
交換部品Ｃは、記憶素子ＣＭを備える。詳細には、第１交換部品、及び第２交換部品の各々は、記憶素子ＣＭを備える。記憶素子ＣＭは、例えば、ＲＦ（Ｒａｄｉｏ  Ｆｒｅｑｕｅｎｃｙ  Ｉｄｅｎｔｉｆｉｃａｔｉｏｎ）タグのような非接触タグ（電子タグ）である。
【００３１】
第１交換部品の記憶素子ＣＭは、第１交換部品情報を記憶する。第１交換部品情報は、第１交換部品に関する情報を示す。第１交換部品に関する情報は、例えば、第１交換部品の製造元を示す製造元情報、第１交換部品の型式番号を示す型式番号情報、及び第１交換部品のシリアル番号を示すシリアル情報を示す。
【００３２】
第２交換部品の記憶素子ＣＭは、第２交換部品情報を記憶する。第２交換部品情報は、第２交換部品に関する情報を示す。第２交換部品に関する情報は、例えば、第２交換部品の製造元を示す製造元情報、第２交換部品の型式番号を示す型式番号情報、及び第２交換部品のシリアル番号を示すシリアル情報を示す。
【００３３】
装着交換部品ＣＡの記憶素子ＣＭは、装着部品情報を記憶する。装着交換部品ＣＡは、第１交換部品、及び第２交換部品のうち、装着部５１に装着されている交換部品Ｃを示す。従って、装着交換部品ＣＡが第１交換部品の場合、装着部品情報は、第１交換部品情報を示す。これに対し、装着交換部品ＣＡが第２交換部品の場合、装着部品情報は、第２交換部品情報を示す。
【００３４】
部品検知スイッチ５２は、装着部５１に交換部品Ｃが装着されていることを検知する。
【００３５】
部品情報取得部５３は、装着部品情報を取得する。具体的には、装着交換部品ＣＡが第１交換部品のとき、部品情報取得部５３は、第１交換部品情報を取得する。これに対し、装着交換部品ＣＡが第２交換部品のとき、部品情報取得部５３は、第２交換部品情報を取得する。以下、装着部品情報を記憶素子ＣＭから取得する処理を「部品情報取得処理」と記載する。部品情報取得部５３は、例えば、ＲＦリーダーのような近距離無線通信機である。
【００３６】
画像形成部６は、装着消耗品を使用して、シートＳに画像（トナー画像）を形成する。装着消耗品は、装着交換部品ＣＡが収容する消耗品を示す。従って、装着交換部品ＣＡが第１交換部品のとき、装着消耗品は第１消耗品を示す。これに対し、装着交換部品ＣＡが第２交換部品のとき、装着消耗品は第２消耗品を示す。
【００３７】
単数の装着交換部品ＣＡが存在するとき、画像形成部６は、単数の色を有する画像（白黒の画像）をシートＳに形成可能である。これに対し、複数の装着交換部品ＣＡが存在するとき、画像形成部６は、複数の色を有する画像（カラー画像）をシートＳに形成可能である。この場合、複数の装着交換部品ＣＡの各々は、互いに異なる色を有する消耗品を収容する。
【００３８】
画像形成部６は、感光体ドラム６ａと、現像器６ｂと、帯電器６ｃと、クリーニング器６ｄと、転写ローラー６ｅと、露光器６ｆとを含む。
【００３９】
帯電器６ｃは、感光体ドラム６ａの周面を帯電させる。露光器６ｆは、帯電器６ｃによって帯電された感光体ドラム６ａの周面に、レーザー光を照射する。レーザー光は、画像データに基づいて生成される。その結果、感光体ドラム６ａの周面には、画像データに対応する静電潜像が形成される。なお、画像データは、例えば、読取部１、又は、パーソナルコンピューターのような外部装置から取得される。
【００４０】
現像器６ｂは、静電潜像が形成された感光体ドラム６ａの周面にトナーを供給する。装着交換部品ＣＡは、現像器６ｂへトナーを供給する。現像器６ｂがトナーを感光体ドラム６ａに供給すると、感光体ドラム６ａの周面に形成された静電潜像が現像される。その結果、感光体ドラム６ａの周面には、装着消耗品を使用した画像が形成される。詳細には、感光体ドラム６ａの周面に、画像データを表す画像が形成される。
【００４１】
感光体ドラム６ａは、転写ローラー６ｅの周面に接触している。シートＳが感光体ドラム６ａと転写ローラー６ｅとの間を通過するとき、感光体ドラム６ａの担持する画像がシートＳに転写される。シートＳへ画像が転写された後に、クリーニング器６ｄは、感光体ドラム６ａの周面に残るトナーを除去する。
【００４２】
排出部７は、トナー像が定着したシートＳを、シート排出口を介して筐体８の内部から排出トレイへ排出する。
【００４３】
次に、図１、及び図２を参照して、調整画面２１ｂについて説明する。図２は、調整画面２１ｂを示す図である。
【００４４】
図１、及び図２に示すように、調整画面２１ｂは、シートＳに形成される画像を調整するための画面を示す。第１実施形態では、調整画面２１ｂは、シートＳに形成される画像の色を調整するための画面を示す。調整画面２１ｂは、例えば、シートＳに形成される画像の色の調整項目を示す情報を表示する。第１実施形態では、色の調整項目は、彩度、カラーバランス、及び濃度を示す。例えば、ユーザーは、調整画面２１ｂに対し、入力部２を介して、色の調整値を入力し、シートＳに形成される画像を調整する。第１実施形態では、画像の調整は、画像の色の調整を示す。具体的には、画像の色の調整は、彩度の調整と、カラーバランスの調整と、濃度の調整とを示す。この場合、ユーザーは、調整画面２１ｂをタッチ操作し、及び／又は、複数の操作キー２２を操作して、調整画面２１ｂの彩度の欄に彩度の調整値を入力し、カラーバランスの欄にカラーバランスの調整値を入力し、及び／又は、濃度の欄に濃度の調整値を入力する。その結果、シートＳに形成される画像の色が、入力部２を介して入力された色の調整値を反映した色に調整される。例えば、入力部２を介して彩度が低くなるように調整されると、彩度の調整後は、シートＳに形成される画像の色の彩度が、彩度の調整前よりも低くなる。
【００４５】
次に、図３を参照して、画像形成装置１００についてさらに説明する。図３は、画像形成装置１００を示すブロック図である。
【００４６】
図３に示すように、画像形成装置１００は、記憶部９と、制御装置１０とをさらに備える。
【００４７】
記憶部９は、記憶装置を含む。記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御装置１０によって実行される種々のコンピュータープログラムを記憶する。
【００４８】
記憶部９は、第１交換部品に関する情報である記憶部品情報を記憶する。記憶部品情報は、例えば、第１交換部品の製造元情報、及び第１交換部品の型式番号情報を含む。
【００４９】
記憶部９は、画像形成ジョブを示す情報を記憶する。具体的には、記憶部９は、入力部２を介して入力された画像形成ジョブを示す情報を記憶する。また、記憶部９は、パーソナルコンピューターのような外部装置を介して入力された画像形成ジョブを示す情報を記憶する。
【００５０】
制御装置１０は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置１０は、画像形成装置１００の各要素を制御する。具体的には、制御装置１０のプロセッサーは、記憶装置に記憶されたコンピュータープログラムを実行することにより、読取部１と、入力部２と、搬送部４と、補給部５と、画像形成部６と、排出部７と、記憶部９とを制御する。
【００５１】
制御装置１０は、制御部１１と、判定部１２と、決定部１３と、調整部１４とを有する。具体的には、制御装置１０のプロセッサーが、記憶装置に記憶されたコンピュータープログラムを実行することにより、制御部１１、判定部１２、決定部１３、及び調整部１４として機能する。
【００５２】
判定部１２は、装着交換部品ＣＡが第１交換部品、及び第２交換部品のいずれであるかを判定する判定処理を実行する。判定部１２は、部品情報取得部５３の取得した装着部品情報と、記憶部９に記憶される記憶部品情報とに基づいて、判定処理を実行する。例えば、装着部品情報が記憶部品情報と一致する場合、判定部１２は、装着交換部品ＣＡが第１交換部品であると判定する。これに対し、交換部品情報が記憶部品情報と異なる場合、判定部１２は、装着交換部品ＣＡが第２交換部品であると判定する。
【００５３】
例えば、画像形成装置１００の電源起動時、及び／又は、補給部カバーが閉じたことを示す信号を補給部５から判定部１２が受信すると、判定部１２は判定処理を実行する。従って、装着交換部品ＣＡが交換される毎に、判定部１２は判定処理を実行する。
【００５４】
なお、画像形成装置１００がカラー画像を形成する場合、複数の交換部品Ｃが装着部５１に装着される。その結果、複数の装着交換部品ＣＡが存在する。この場合、例えば、複数の装着交換部品ＣＡの各々は、ブラックの消耗品（トナー）、イエローの消耗品、マゼンタの消耗品、及びシアンの消耗品のうちのいずれかを収容する。
【００５５】
複数の装着交換部品ＣＡが存在する場合において、複数の装着交換部品ＣＡのうちの少なくとも１つが第２交換部品のときに、装着交換部品ＣＡが第２交換部品であると判定部１２が判定する。これに対し、複数の装着交換部品ＣＡが存在する場合において、複数の装着交換部品ＣＡの全てが第１交換部品のときに、装着交換部品ＣＡが第１交換部品であると判定部１２が判定する。
【００５６】
決定部１３は、単数のサンプル画像を決定する。詳細には、装着交換部品ＣＡが第２交換部品のとき、決定部１３は、ジョブ画像に基づいて、サンプル画像を決定する。また、決定部１３は、ジョブ画像のうちからサンプル画像を決定する。
【００５７】
調整部１４は、画像形成部６の設定を調整して、シートＳに形成される画像の色を調整する。画像形成部６の設定は、例えば、現像バイアスの設定、感光体ドラム６ａの表面電位の設定、及び／又は、露光器６ｆの露光量の設定を示す。第１実施形態では、調整画面２１ｂに対し、入力部２を介して色の調整値が入力されると、所定のテーブルに基づいて、調整部１４が画像形成部６の設定を調整する。所定のテーブルは、色の調整値と画像形成部６の設定とを対応付けたテーブルを示す。その結果、画像形成部６によりシートＳに形成される画像の色が、入力部２を介して入力された色の調整値を反映した色に調整される。
【００５８】
以上、図３を参照して説明したように、決定部１３は、ジョブ画像のうちからサンプル画像を決定する。従って、ユーザーは、試しにサンプル画像をシートＳに形成し、サンプル画像の画質を確認して、色の調整を行うか否かを判断することができる。その結果、ユーザーは、ジョブ画像のうちの全ての画像をシートＳに形成しなくても、色の調整を行うか否かを判断することができ、シートＳが無駄に消費されることを抑制することができる。
【００５９】
次に、図４から図７を参照して、制御装置１０の動作について説明する。図４は、制御装置１０の動作を示す第１のフロー図である。図５は、制御装置１０の動作を示す第２のフロー図である。図６は、制御装置１０の動作を示す第３のフロー図である。図７は、表示部２１ａを示す図である。
【００６０】
図４に示すように、ステップＳ１０において、装着部５１に交換部品Ｃが装着されたことを、部品検知スイッチ５２が検知する。
【００６１】
ステップＳ２０において、判定部１２は、装着交換部品ＣＡが第１交換部品、及び第２交換部品のいずれであるかを判定する。装着交換部品ＣＡが第１交換部品であると判定部１２が判定すると（ステップＳ２０で、Ｙｅｓ）、処理が終了する。装着交換部品ＣＡが第２交換部品であると判定部１２が判定すると（ステップＳ２０で、Ｎｏ）、処理がステップＳ３０に移行する。
【００６２】
ステップＳ３０において、装着部５１に第２交換部品が装着されると、装着交換部品ＣＡが第２交換部品であることを示す情報を表示部２１ａが表示するように、制御部１１が表示部２１ａを制御する。この場合、表示部２１ａは、例えば、図７に示す画面を表示する。第１実施形態では、表示部２１ａは、「Ｃｏｐｙ」の画像と、「Ｓｅｎｄ」の画像と、「ＦＡＸ」の画像とを表示する。「Ｃｏｐｙ」の画像は、印刷機能が実行される際にタッチ操作される。「Ｓｅｎｄ」の画像は、画像データを送信する送信機能が実行される際にタッチ操作される。「ＦＡＸ」の画像は、ＦＡＸ機能が実行される際に、タッチ操作される。そして、装着交換部品ＣＡが第２交換部品であることを示す情報は、「Ｃｏｐｙ」の画像が表示される欄に表示される。なお、装着部５１に第２交換部品が装着されるとは、具体的には、装着交換部品ＣＡが第２交換部品であると判定部１２が判定することを示す。
【００６３】
ステップＳ４０において、入力部２が、シートＳに画像を形成する画像形成ジョブを示す情報を受け付ける。
【００６４】
ステップＳ５０において、入力部２が画像形成ジョブを示す情報を受け付けると、シートＳに形成される画像の品質が保証できないことを示す品質情報を表示部２１ａが表示するように、制御部１１が表示部２１ａを制御する。表示部２１ａには、例えば、「第２交換部品が装着されているため、印刷の品質を保証できません。」と表示される。
【００６５】
ステップＳ６０において、表示部２１ａが品質情報の表示を解除するように、制御部１１が表示部２１ａを制御する。
【００６６】
ステップＳ７０において、制御装置１０（決定部１３）がジョブ画像を示す画像データを取得する。制御装置１０は、例えば、読取部１、又は、パーソナルコンピューターのような外部装置からジョブ画像を示す画像データを取得する。
【００６７】
ステップＳ８０において、決定部１３は、ステップＳ４０の画像形成ジョブのジョブ画像の個数を算出する。決定部１３は、例えば、ステップＳ４０で受け付けた画像形成ジョブを示す情報に基づいて、ジョブ画像の個数を算出する。ジョブ画像が単数の場合（ステップＳ８０で、Ｙｅｓ）、処理が図５に示すステップＳ９０に移行する。ジョブ画像が複数の場合（ステップＳ８０で、Ｎｏ）、処理が図６に示すステップＳ１８０に移行する。
【００６８】
図５に示すように、ステップＳ９０において、決定部１３は、単数のジョブ画像をサンプル画像に決定する。
【００６９】
ステップＳ１００において、サンプル画像をシートＳに形成するか否かを質問することを示す情報を表示部２１ａが表示するように、制御部１１が表示部２１ａを制御する。表示部２１ａには、例えば、「サンプル画像を印刷しますか？」と表示される。そして、シートＳにサンプル画像を形成することを示す情報を入力部２が受け付けると（ステップＳ１００で、Ｙｅｓ）、処理がステップＳ１１０に移行する。シートＳにサンプル画像を形成しないことを示す情報を入力部２が受け付けると（ステップＳ１００で、Ｎｏ）、処理がステップＳ１５０に移行する。
【００７０】
ステップＳ１１０において、画像形成部６がシートＳにサンプル画像を形成するように、制御部１１が画像形成部６を制御する。その結果、サンプル画像が印刷される。
【００７１】
ステップＳ１２０において、サンプル画像の画質を許容するか否かを質問することを示す情報を表示部２１ａが表示するように、制御部１１が表示部２１ａを制御する。表示部２１ａには、例えば、「サンプル画像の画質でＯＫ？」と表示される。サンプル画像の画質を許容することを示す情報を入力部２が受け付けると（ステップＳ１２０で、Ｙｅｓ）、処理が終了する。サンプル画像を許容しないことを示す情報を入力部２が受け付けると（ステップＳ１２０で、Ｎｏ）、処理がステップＳ１３０に移行する。
【００７２】
ステップＳ１３０において、表示部２１ａが調整画面２１ｂを表示するように、制御部１１が表示部２１ａを制御する。その結果、ユーザーは、入力部２を介して画像形成部６の設定を調整し、シートＳに形成される画像の色を調整することが可能になる。なお、色を調整する作業が終了すると、ユーザーは、入力部２を介して、色を調整する作業が終了したことを示す終了情報を入力する。その結果、入力部２が終了情報を受け付ける。
【００７３】
ステップＳ１４０において、終了情報を入力部２が受け付けると（ステップＳ１４０で、Ｙｅｓ）、処理がステップＳ１１０に移行する。終了情報を入力部２が受け付けないと（ステップＳ１４０で、Ｎｏ）、処理がステップＳ１３０に移行する。つまり、ユーザーが色を調整する作業を終了するまで、調整画面２１ｂが表示され続ける。
【００７４】
ステップＳ１５０において、サンプル画像をシートＳに形成するか否かを質問することを示す情報を表示部２１ａが再度、表示するように、制御部１１が表示部２１ａを制御する。表示部２１ａには、例えば、「第２交換部品が装着されているため、印刷の品質が保証できませんが、本当によろしいですか？」と表示される。つまり、第２交換部品に収容された第２消耗品を使用すると、印刷の品質を保証できないことを示す情報を、表示部２１ａを介してユーザーに提供する。さらに、サンプル画像を印刷しなくてもよいかどうか、表示部２１ａを介してユーザーに確認する。
【００７５】
ステップＳ１６０において、シートＳにサンプル画像を形成することを示す情報を入力部２が受け付けると（ステップＳ１６０で、Ｙｅｓ）、処理がステップＳ１１０に移行する。シートＳにサンプル画像を形成しないことを示す情報を入力部２が受け付けると（ステップＳ１６０で、Ｎｏ）、処理がステップＳ１７０に移行する。
【００７６】
ステップＳ１７０において、画像形成部６がシートＳにジョブ画像を形成するように、制御部１１が画像形成部６を制御する。その結果、ジョブ画像が印刷される。ジョブ画像が印刷されると、処理が終了する。
【００７７】
図６に示すように、ステップＳ１８０において、決定部１３は、ステップＳ７０で取得したジョブ画像を示す画像データに基づいて、複数のジョブ画像のうち、第２消耗品の使用量が最も多いジョブ画像を算出する。そして、決定部１３は、第２消耗品の使用量が最も多いジョブ画像をサンプル画像に決定する。
【００７８】
なお、複数の第２交換部品が装着部５１に装着される場合、第２消耗品の使用量は、複数の第２交換部品の各々に収容される第２消耗品の使用量の合計を示す。
【００７９】
ステップＳ１９０において、サンプル画像をシートＳに形成するか否かを質問することを示す情報を表示部２１ａが表示するように、制御部１１が表示部２１ａを制御する。そして、シートＳにサンプル画像を形成することを示す情報を入力部２が受け付けると（ステップＳ１９０で、Ｙｅｓ）、処理がステップＳ２００に移行する。シートＳにサンプル画像を形成しないことを示す情報を入力部２が受け付けると（ステップＳ１９０で、Ｎｏ）、処理がステップＳ２５０に移行する。
【００８０】
ステップＳ２００において、画像形成部６がシートＳにサンプル画像を形成するように、制御部１１が画像形成部６を制御する。その結果、サンプル画像が印刷される。
【００８１】
ステップＳ２１０において、サンプル画像の画質を許容するか否かを質問することを示す情報を表示部２１ａが表示するように、制御部１１が表示部２１ａを制御する。サンプル画像の画質を許容することを示す情報を入力部２が受け付けると（ステップＳ２１０で、Ｙｅｓ）、処理がステップＳ２２０に移行する。サンプル画像を許容しないことを示す情報を入力部２が受け付けると（ステップＳ２１０で、Ｎｏ）、処理がステップＳ２３０に移行する。
【００８２】
ステップＳ２２０において、シートＳに複数のジョブ画像を形成するように、制御部１１が画像形成部６を制御する。その結果、複数のジョブ画像が印刷される。複数のジョブ画像が印刷されると、処理が終了する。
【００８３】
ステップＳ２３０において、表示部２１ａが調整画面２１ｂ（図２参照）を表示するように、制御部１１が表示部２１ａを制御する。その結果、ユーザーは、入力部２を介して画像形成部６の設定を調整し、シートＳに形成される画像の色を調整することが可能になる。
【００８４】
ステップＳ２４０において、終了情報を入力部２が受け付けると（ステップＳ２４０で、Ｙｅｓ）、処理がステップＳ２００に移行する。終了情報を入力部２が受け付けないと（ステップＳ２４０で、Ｎｏ）、処理がステップＳ２３０に移行する。
【００８５】
ステップＳ２５０において、サンプル画像をシートＳに形成するか否かを質問することを示す情報を表示部２１ａが再度、表示するように、制御部１１が表示部２１ａを制御する。
【００８６】
ステップＳ２６０において、シートＳにサンプル画像を形成することを示す情報を入力部２が受け付けると（ステップＳ２６０で、Ｙｅｓ）、処理がステップＳ２００に移行する。シートＳにサンプル画像を形成しないことを示す情報を入力部２が受け付けると（ステップＳ２６０で、Ｎｏ）、処理がステップＳ２２０に移行する。
【００８７】
以上、図４から図７を参照して説明したように、ジョブ画像が複数の場合、ステップＳ１８０において、決定部１３は、複数のジョブ画像のうち、第２消耗品の使用量が最も多いジョブ画像をサンプル画像に決定する。従って、ステップＳ２００において、第２消耗品の特性が反映された画像をシートＳに形成することができる。その結果、ステップＳ２３０において、ユーザーは、色を調整する作業を円滑に行うことができる。
【００８８】
また、ステップＳ１００、ステップＳ１６０、ステップＳ１９０、及びステップＳ２６０において、シートＳにサンプル画像を形成することを示す情報を入力部２が受け付けると、ステップＳＳ１１０、及びステップＳ２００において、シートＳにサンプル画像が形成される。従って、ユーザーの意志に反して、シートＳにサンプル画像が形成されることを防止できる。その結果、シートＳが無駄に消費されることを抑制することができる。
【００８９】
また、ステップＳ１２０、ステップＳ１３０、ステップＳ２１０、及びステップＳ２３０において、サンプル画像の画質を許容しないことを示す情報を入力部２が受け付けると、表示部２１ａが調整画面２１ｂを表示する。従って、ユーザーは、サンプル画像の画質を気に入らない場合、色を調整する作業を円滑に開始することが可能になる。
【００９０】
［第２実施形態］
次に、図８から図１０を参照して、画像形成装置１００の第２実施形態について説明する。図８は、制御装置１０の動作を示す第２のフロー図（図５参照）の変形例である。
【００９１】
第２実施形態は、待機中の画像形成ジョブに対し、サンプル画像をシートＳに形成する画像形成ジョブを優先させる第１優先処理Ｓ１０１（図８参照）と、第２優先処理Ｓ１９１（図１０参照）とが実行される点で第１実施形態と異なる。以下、第１実施形態と異なる点を主に説明する。
【００９２】
図８に示すように、第１優先処理Ｓ１０１は、ステップＳ１００に示す処理と、ステップＳ１１０に示す処理との間に実行される。従って、ステップＳ１００で、Ｙｅｓの場合、処理が第１優先処理Ｓ１０１に移行する。また、ステップＳ１６０で、Ｙｅｓの場合、処理が第１優先処理Ｓ１０１に移行する。そして、第１優先処理Ｓ１０１が終了すると、処理が、ステップＳ１１０に移行する。
【００９３】
次に、図９を参照して、第１優先処理Ｓ１０１について説明する。図９は、第１優先処理Ｓ１０１を示すフロー図である。
【００９４】
図９に示すように、ステップＳ１０２において、制御部１１は、過去に入力された画像形成ジョブの状況を確認する。なお、過去に入力された画像形成ジョブを示す情報は、記憶部９に記憶されている。また、過去に入力された画像形成ジョブは、具体的には、過去に入力部２を介して入力された画像形成ジョブ、及び／又は、過去にパーソナルコンピューターのような外部装置を介して入力された画像形成ジョブを示す。また、過去に入力された画像形成ジョブには、図４に示すステップＳ４０で入力された画像形成ジョブが含まれない。すなわち、過去に入力された画像形成ジョブは、ステップＳ４０で入力された画像形成ジョブよりも過去に入力された画像形成ジョブを示す。
【００９５】
ステップＳ１０３において、制御部１１は、過去に入力された画像形成ジョブのうち、実行中の画像形成ジョブがあるか否かを確認する。実行中の画像形成ジョブは、画像形成部６がジョブ画像を形成する処理を実行中の画像形成ジョブを示す。実行中の画像形成ジョブがある場合（ステップＳ１０３で、Ｙｅｓ）、処理がステップＳ１０４に移行する。実行中の画像形成ジョブがない場合（ステップＳ１０３で、Ｎｏ）、処理がステップＳ１０７に移行する。
【００９６】
ステップＳ１０４において、制御部１１は、過去に入力された画像形成ジョブのうち、待機中の画像形成ジョブがあるか否かを確認する。待機中の画像形成ジョブは、実行されるのを待っている状態の画像形成ジョブを示す。待機中の画像形成ジョブがない場合（ステップＳ１０４で、Ｎｏ）、処理がステップＳ１０５に移行する。待機中の画像形成ジョブがある場合（ステップＳ１０４で、Ｙｅｓ）、処理がステップＳ１０６に移行する。
【００９７】
ステップＳ１０５において、制御部１１は、ステップＳ１０３で実行中だった画像形成ジョブが終了したか否かを確認する。ステップＳ１０３で実行中だった画像形成ジョブが終了した場合（ステップＳ１０５で、Ｙｅｓ）、第１優先処理Ｓ１０１が終了する。その結果、処理が図８に示すステップＳ１１０に移行し、サンプル画像が印刷される。これに対し、ステップＳ１０３で実行中だった画像形成ジョブが終了していない場合（ステップＳ１０５で、Ｎｏ）、ステップＳ１０５に示す処理が繰り返される。つまり、ステップＳ１０３で実行中だった画像形成ジョブが終了するまで、制御部１１が待機する。
【００９８】
ステップＳ１０６において、制御部１１は、待機中の画像形成ジョブよりも、シートＳにサンプル画像を形成する画像形成ジョブを優先して実行するように、画像形成ジョブを実行する順番を設定する。つまり、制御部１１は、サンプル画像を形成する画像形成ジョブを最優先の画像形成ジョブに設定する。ステップＳ１０６に示す処理が終了すると、処理がステップＳ１０５に移行する。
【００９９】
ステップＳ１０７において、制御部１１は、過去に入力された画像形成ジョブのうち、待機中の画像形成ジョブがあるか否かを確認する。待機中の画像形成ジョブがない場合（ステップＳ１０７で、Ｎｏ）、第１優先処理Ｓ１０１が終了する。待機中の画像形成ジョブがある場合（ステップＳ１０７で、Ｙｅｓ）、処理がステップＳ１０８に移行する。
【０１００】
ステップＳ１０８において、制御部１１は、待機中の画像形成ジョブよりも、シートＳにサンプル画像を形成する画像形成ジョブを優先して実行するように、画像形成ジョブを実行する順番を設定する。つまり、制御部１１は、サンプル画像を形成する画像形成ジョブを最優先の画像形成ジョブに設定する。ステップＳ１０８に示す処理が終了すると、第１優先処理Ｓ１０１が終了する。
【０１０１】
次に、図１０を参照して、第２優先処理Ｓ１９１について説明する。図１０は、制御装置１０の動作を示す第３のフロー図（図６参照）の変形例である。
【０１０２】
図１０に示すように、第２優先処理Ｓ１９１は、ステップＳ１９０に示す処理と、ステップＳ２００に示す処理との間に実行される。従って、ステップＳ１９０で、Ｙｅｓの場合、処理が第２優先処理Ｓ１９１に移行する。また、ステップＳ２６０で、Ｙｅｓの場合、処理が第２優先処理Ｓ１９１に移行する。なお、第２優先処理Ｓ１９１は、第１優先処理Ｓ１０１のステップＳ１０２からステップＳ１０８に示す処理と同様の処理を示す（図９参照）。そして、第２優先処理Ｓ１９１が終了すると、処理が、ステップＳ２００に移行する。
【０１０３】
以上、図８から図１０を参照して説明したように、シートＳにサンプル画像を形成することを示す情報を入力部２が受け付けた際に、待機中の画像形成ジョブがある場合、待機中の画像形成ジョブよりも、シートＳにサンプル画像を形成する画像形成ジョブを優先して実行するように、制御部１１が画像形成ジョブを実行する順番を設定する。従って、ユーザーは、待機中の画像形成ジョブが終了するまで待機することなく、サンプル画像の画質を確認する作業を円滑に行うことができる。
【０１０４】
［第３実施形態］
次に、図１１を参照して、画像形成システムＸについて説明する。図１１は、画像形成システムＸを示すブロック図である。以下では、画像形成装置１００の第１実施形態と異なる構成を主に説明する。
【０１０５】
図１１に示すように、画像形成システムＸは、画像形成装置１００と、外部装置Ｅとを備える。
【０１０６】
画像形成装置１００は、撮像部１５と、通信部１６とをさらに備える。
【０１０７】
撮像部１５は、例えば、カメラである。撮像部１５は、画像形成部６に設けられる。撮像部１５は、感光体ドラム６ａを撮像する。その結果、撮像部１５は、感光体ドラム（転写体）６ａに形成された画像を撮像する。
【０１０８】
通信部１６は、例えば、ＬＡＮボードのような通信モジュール（通信機器）である。通信部１６は、通信部１６と同じ通信方式（プロトコル）を利用する通信機が搭載された電子機器との間で通信が可能である。第３実施形態では、通信部１６は、ＬＡＮ（Ｌｏｃａｌ  Ａｒｅａ  Ｎｅｔｗｏｒｋ）のようなネットワーク網Ｎを介して外部装置Ｅと通信する。なお、画像形成装置１００と外部装置Ｅとが有線で接続されていてもよい。
【０１０９】
外部装置Ｅは、例えば、パーソナルコンピューター、又はタブレット端末装置である。外部装置Ｅは、画像形成装置１００と通信可能である。外部装置Ｅは、外部入力部Ｅ１と、外部表示部（表示部）Ｅ２とを備える。外部入力部Ｅ１は、例えば、キーボード、マウス、及び／又は、タッチパネルである。外部入力部Ｅ１を介して、画像形成装置１００に画像形成ジョブを入力することが可能である。外部表示部Ｅ２は、例えば、液晶表示部又は有機ＥＬ表示部（Ｏｒｇａｎｉｃ  Ｅｌｅｃｔｒｏ  Ｌｕｍｉｎｅｓｃｅｎｃｅ  Ｄｉｓｐｌａｙ）である。外部表示部Ｅ２は、撮像部１５の撮像した画像を表示する。具体的には、撮像部１５が感光体ドラム６ａに形成された画像を撮像すると、撮像部１５の撮像した画像を示す画像データが通信部１６とネットワーク網Ｎとを介して外部装置Ｅに送信される。その結果、外部表示部Ｅ２が、撮像部１５の撮像した画像を表示する。なお、撮像部１５と通信部１６との各々は、制御部１１により制御される。
【０１１０】
第３実施形態では、画像形成システムＸが、第１実施形態のステップＳ１０からステップＳ２６０に示す処理を実行する。しかし、第３実施形態では、図５に示すステップＳ１１０、及び、図６示すステップＳ２００の各々において、シートＳにサンプル画像を形成する処理に代えて、外部表示部Ｅ２にサンプル画像を表示させる処理が行われる点が、第１実施形態と異なる。以下、第３実施形態のステップＳ１１０、及びステップＳ２００の処理内容について詳細に説明する。
【０１１１】
第３実施形態では、ステップＳ１１０、及びステップＳ２００の各々において、まず、画像形成部６が感光体ドラム６ａにサンプル画像を形成するように、制御部１１が画像形成部６を制御する。サンプル画像は、具体的には、感光体ドラム６ａの周面に形成される。また、サンプル画像は、装着消耗品である第２消耗品を使用して形成される。次に、撮像部１５が、感光体ドラム６ａに形成されたサンプル画像を撮像する。その結果、撮像部１５が、サンプル画像を示す画像データを取得する。次に、通信部１６が、サンプル画像を示す画像データを、ネットワーク網Ｎを介して外部装置Ｅに送信する。次に、外部装置Ｅがサンプル画像を示す画像データを取得し、外部表示部Ｅ２にサンプル画像を表示させる。具体的には、外部装置Ｅの制御部（例えば、ＣＰＵ）が、外部表示部Ｅ２にサンプル画像を表示させる。
【０１１２】
なお、第３実施形態では、画像形成システムＸが、第２実施形態のステップＳ１０からステップＳ２６０に示す処理を実行してもよい。この場合も、第３実施形態では、図８に示すステップＳ１１０、及び、図１０示すステップＳ２００の各々において、シートＳにサンプル画像を形成する処理に代えて、外部表示部Ｅ２にサンプル画像を表示させる処理が行われる
【０１１３】
以上、図１１を参照して説明したように、ユーザーは、外部表示部Ｅ２を視認してサンプル画像の画質を確認できる。その結果、シートＳにサンプル画像を形成しなくてもよく、シートＳを無駄に消費することを効果的に抑制することができる。
【０１１４】
なお、画像形成部６は、中間転写ベルト（転写体）をさらに有していてもよい。つまり、画像形成部６がカラー画像を形成してもよい。この場合、感光体ドラム６ａに形成された画像が中間転写ベルトに転写され、中間転写ベルトに転写された画像がシートＳに転写される。また、この場合、撮像部１５は、中間転写ベルトに形成された画像を撮像する。従って、画像形成部６が第２消耗品を使用して中間転写ベルトにサンプル画像を形成することが可能になる。また、撮像部１５は中間転写ベルトに形成されたサンプル画像を撮像することが可能になる。その結果、外部表示部Ｅ２は、サンプル画像を表示することが可能になる。
【０１１５】
また、外部表示部Ｅ２に代えて、画像形成装置１００の表示部２１ａにサンプル画像を表示させてもよい。その結果、外部表示部Ｅ２が不要になり、部品点数を削減することが可能になる。なお、外部表示部Ｅ２にサンプル画像を表示させると、ユーザーが画像形成装置１００の設置場所まで行かなくても、外部装置Ｅからサンプル画像を確認できる点で有利である。
【０１１６】
以上、図面（図１〜図１１）を参照しながら本発明の実施形態について説明した。但し、本発明は、上記の実施形態に限られるものではなく、その要旨を逸脱しない範囲で種々の態様において実施することが可能である（例えば、（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１１７】
（１）第１実施形態から第３実施形態では、画像形成装置１００はトナー像をシートＳに形成する。しかし、本発明はこれに限定されない。画像形成装置１００は、シートＳに画像を形成する機能を有していればよい。画像形成装置１００は、例えば、インクジェット方式のプリンターであってもよい。また、画像形成装置１００は、プリンター単体に限らず、複写機、ファクシミリ装置、及び複合機でもよい。
【０１１８】
（２）第１実施形態から第３実施形態では、図６及び図１０に示すステップＳ２２０において、複数のジョブ画像のうち、サンプル画像を含めた全てのジョブ画像がシートＳに形成される。しかし、本発明は、これに限定されない。図６に示すステップＳ２２０において、複数のジョブ画像のうち、サンプル画像以外の全てのジョブ画像がシートＳに形成されてもよい。その結果、サンプル画像が２枚印刷されることが防止され、シートＳを効率的に使用することが可能になる。なお、第１実施形態から第３実施形態のように、サンプル画像を含めた全てのジョブ画像がシートＳに形成される方が、画像形成ジョブで設定された順番通りに複数のジョブ画像を並べて印刷することができる点で有利である。
【０１１９】
（３）図１２を参照して、制御装置１０の動作を示す第１のフロー図の変形例について説明する。図１２は、制御装置１０の動作を示す第１のフロー図（図４参照）の変形例である。
【０１２０】
図１２に示すように、第１実施形態から第３実施形態において、ステップＳ７０に示す処理と、ステップＳ８０に示す処理との間に、ステップＳ７１に示す処理を設けてもよい。ステップＳ７１に示す処理は、画像形成部６の設定を調整部１４が調整する処理を示す。調整部１４は、第１消耗品の特性と第２消耗品の特性との違いを反映して、画像形成部６の設定を調整する。以下、調整部１４が画像形成部６の設定を調整するための構成について説明する。
【０１２１】
画像形成部６は、例えば、光源と、光電センサーと、濃度算出部とをさらに備える。濃度算出部と、補正部とは、制御装置１０に含まれ、画像形成装置１００の各要素を制御する。濃度算出部は、第２消耗品の画像濃度を算出する。第２消耗品の画像濃度は、第２消耗品により形成される画像の色の濃度（トナー濃度）を示す。濃度算出部は、以下の手順で第２消耗品の画像濃度を算出する。まず、感光体ドラム６ａ上、又は中間転写ベルト上に濃度補正用のトナーパッチが形成される。そして、光源が、トナーパッチに光を照射する。そして、光電センサーが、トナーパッチからの反射光、又は散乱光を検出する。そして、光電センサーの検出結果に基づいて、濃度算出部が第２消耗品の画像濃度を算出する。
【０１２２】
ステップＳ７１において、濃度算出部の算出した第２消耗品の画像濃度が目標画像濃度と異なる場合、第２消耗品の画像濃度が目標画像濃度に近づくように、画像形成部６の設定を調整部１４が調整する。例えば、帯電器６ｃによる感光体ドラム６ａの帯電電位、レーザー光の出力、現像器６ｂの現像バイアス、色変換テーブル、及び／又は、階調変換曲線（γ曲線）の設定を調整部１４が調整する。目標画像濃度は、第１消耗品を使用して画像を形成した場合の画像の色の濃度を示す。目標画像濃度を示す情報は、予め、記憶部９に記憶される。そして、図５及び図８に示すステップＳ１１０と、図６及び図１０に示すステップＳ２００の各々において、調整部１４により調整された画像形成部６がシートＳにサンプル画像を形成するように、制御部１１が画像形成部６を制御する。その結果、サンプル画像の画質を、第１消耗品を使用して形成した画像の画質に近づけることができる。
【０１２３】
以上、図１２を参照して説明したように、ステップＳ７１において、調整部１４が画像形成部６の設定を調整することで、第２消耗品を使用して形成したサンプル画像の画質を、第１消耗品を使用して形成した画像の画質に近づけることができる。従って、図５及び図８に示すステップＳ１３０と、図６及び図１０に示すステップＳ２３０において、ユーザーが、調整画面２１ｂを介して色の調整を行う機会を低減させることができる。その結果、シートＳにジョブ画像を形成する作業を円滑に行うことができる。
【０１２４】
（４）また、図４、及び図１２に示すステップＳ８０において、複数のジョブ画像が算出された場合、図６、及び図１０に示すステップＳ１８０において、複数のジョブ画像のうちから、ユーザーがサンプル画像を決定してもよい。この場合、ユーザーは、複数のジョブ画像のうちから、単数、又は、２つ以上のサンプル画像を決定してもよい。なお、ユーザーがサンプル画像を決定する際、複数のジョブ画像が、例えば、表示部２１ａ、及び／又は、外部表示部Ｅ２に表示される。ユーザーは、例えば、表示部２１ａに表示された複数のジョブ画像のうち、所望の画像にタッチして、タッチした画像をサンプル画像に決定する。また、ユーザーは、例えば、外部表示部Ｅ２に表示された複数のジョブ画像のうち、所望の画像をクリックして、クリックした画像をサンプル画像に決定する。その結果、複数のジョブ画像のうち、ユーザーの希望する画像をサンプル画像に決定することができる。
【０１２５】
（５）また、図５及び図８に示すステップＳ１１０と、図６及び図１０に示すステップＳ２００との各々において、サンプル画像が印刷された後、制御装置１０が、修正サンプル画像を作成してもよい。そして、ステップＳ１２０、及びステップＳ２１０において、ユーザーは、サンプル画像に代えて、修正サンプル画像の画質を確認し、修正サンプル画像の画質を許容するか否かを判断する。
【０１２６】
修正サンプル画像は、サンプル画像に対し、ＮＧ領域の画像を追加した画像である。ＮＧ領域は、所定の許容濃度の範囲外の濃度を有する領域である。濃度は、詳細には、色の濃度を示す。所定の許容濃度の範囲を示す情報は、予め記憶部９に記憶される。以下では、制御装置１０が、修正サンプル画像を作成する手順について説明する。
【０１２７】
まず、読取部１がサンプル画像を読み取る。そして、読取部１の読み取ったサンプル画像の画像データに基づいて、制御装置１０がＮＧ領域を算出する。そして、制御装置１０は、サンプル画像に対してＮＧ領域の画像を追加し、修正サンプル画像を作成する。修正サンプル画像において、例えば、ＮＧ領域は線で囲まれている。そして、制御装置１０は、画像形成部６を制御して修正サンプル画像をシートＳに形成する。また、制御装置１０は、修正サンプル画像を表示部２１ａに表示させ、及び／又は、修正サンプル画像を外部表示部Ｅ２に表示させる。従って、ユーザーは、修正サンプル画像を確認する際、ＮＧ領域を確認すればよく、修正サンプル画像を確認する作業を円滑に行うことができる。その結果、ユーザーは、修正サンプル画像の画質を許容するか否かを判断する作業を容易に行うことができる。
【産業上の利用可能性】
【０１２８】
本発明は、画像形成装置、及び画像形成システムの分野に利用可能である。
【符号の説明】
【０１２９】
２      入力部
６      画像形成部
１１    制御部
１２    判定部
１３    決定部
２１ａ  表示部
２１ｂ  調整画面
５１    装着部
１００  画像形成装置
Ｃ      交換部品
ＣＡ    装着交換部品
Ｅ２    外部表示部（表示部）
Ｓ      シート
Ｘ      画像形成システム
【図１】
2019084773.tif 000003
【図２】
2019084773.tif 000004
【図３】
2019084773.tif 000005
【図４】
2019084773.tif 000006
【図５】
2019084773.tif 000007
【図６】
2019084773.tif 000008
【図７】
2019084773.tif 000009
【図８】
2019084773.tif 000010
【図９】
2019084773.tif 000011
【図１０】
2019084773.tif 000012
【図１１】
2019084773.tif 000013
【図１２】
2019084773.tif 000014